(57)【要約】【課題】作業性よく釘を打ち込め、かつ、木膨れによる嵌合不良を防止して雄実部と雌実部とをしっかりと結合できる建築用板材の実構造を提供する。【解決手段】雄実部１と雌実部２とからなり、該雄実部１の雄実１１が該雌実部２の雌実２１に嵌合する実結合において、上記雄実１１が突設される基端部の上部垂直面１２に木膨れ吸収用溝部１３が凹設される。好ましくは、上記木膨れ吸収用溝部１３は、その天井部が奥行きにいくに従ってとともに低くなるように斜設される。【選択図】図１
2006009372.tif 000002
【特許請求の範囲】
【請求項１】
雄実部と雌実部とからなり、該雄実部の雄実が該雌実部の雌実に嵌合する実結合において、上記雄実が突設される基端部の上部垂直面に木膨れ吸収用溝部が凹設された建築用板材の実構造。
【請求項２】
上記木膨れ吸収用溝部は、その天井部が奥行きにいくに従って低くなるように斜設された請求項１に記載の建築用板材の実構造。
【請求項３】
上記雄実が突設される基端部の上部垂直面の付け根部が切り欠かれて釘打ち用溝部とされた請求項１に記載の建築用板材の実構造。
【請求項４】
上記雌実部の雌実上部の突起部の下部角部が面取りされて、釘頭収納部が形成された請求項１に記載の建築用板材の実構造。
【発明の詳細な説明】
【技術分野】
【０００１】
本発明は、建築用板材の実結合に関する。さらに詳しくは、木質系建築用板材に設けられた雄実部と雌実部とを実結合する際に用いられる実の構造に関する。
【背景技術】
【０００２】
従来、床板、壁板等の木質系建築用板材の接合に関しては、単板の対向する両側端面に互いに嵌合可能な雄実部と雌実部とを設け、この雄実部の雄実と雌実部の雌実とを実結合することによって、複数の単板を接合することが一般的に行なわれている。例えば、下記特許文献には、本願図４に示す雄実部６１と雌実部６２とからなる実結合が記載されている。
【特許文献１】特開平８−１０９７３４号公報（第１−４頁、第２、３、４図）
【発明の開示】
【発明が解決しようとする課題】
【０００３】
通常、上記実結合においては、雄実部６１を胴縁等の下地材に固定し、雌実部６２が実結合される。すなわち、本願図４において、雄実部６１の雄実６１１が突設される基端部の上部垂直面の付け根部を釘打ち部６１２とし、この部分に釘をあてがって自動釘打ち機等によって釘を打ち込み、その後雌実６２１を結合する。しかしながら、釘打ちの際、釘の先端が逃げて打ち込みにくく、また、打ち込み後、雄実部６１全体が木膨れするという問題がある。そこで、本発明は、自動釘打ち機等で作業性よく、釘を打ち込むことができるとともに、木膨れによる嵌合不良を防止して雄実部と雌実部とがしっかりと結合できる建築用板材の実構造を提供することをその課題とする。
【課題を解決するための手段】
【０００４】
上記課題を解決するために本発明においては、つぎのような技術的手段を講じている。すなわち、本発明によれば、雄実部と雌実部とからなり、該雄実部の雄実が該雌実部の雌実に嵌合する実結合において、上記雄実が突設される基端部の上部垂直面に木膨れ吸収用溝部が凹設された建築用板材の実構造が提供される。
【０００５】
上記木膨れ吸収用溝部は、その天井部が奥行きにいくに従って低くなるように斜設され、断面略直角三角形の溝部とされることが好ましい。また、上記雄実が突設される基端部の上部垂直面の付け根部がＶ字型に切り欠かれて釘打ち用溝部されることが好ましい。さらに、上記雌実部の雌実上部の突起部の下部角部が面取りされて、釘頭収納部が形成されることが好ましい。
【発明の効果】
【０００６】
請求項１に記載の発明は上記のとおりであり、とくに、上記雄実が突設される基端部の上部垂直面に木膨れ吸収用溝部が凹設されているため、釘打ち時に生じる木膨れが吸収されて嵌合不良となることを防止し、雄実部と雌実部とをしっかりと結合することができる。
【０００７】
上記木膨れ吸収用溝部は、その天井部が奥行きにいくに従って低くなるように斜設され、断面略直角三角形とされているため、木膨れを横方向に逃がすことができるとともに、上記雄実が突設される基端部の上部分の肉厚を残し、強度維持を図ることができる。
【０００８】
上記雄実が突設される基端部の上部垂直面の付け根部が切り欠かれてＶ字型の釘打ち用溝部とされているため、釘を打ち込む時の目安とすることができるとともに、釘の先端をこの釘打ち用溝部にあてがって、自動釘打ち機等で作業性よく釘を打ち込むことができる。
【０００９】
また、上記雌実部の雌実上部の突起部の下部角部が面取りされて、釘頭収納部が形成されているため、上記釘打ち用溝部に打ち込んだ釘の頭を収めて、雄実と雌実とをしっかりと嵌合させることができる。
【発明を実施するための最良の形態】
【００１０】
以下、本発明の実施形態について図面を参照して、詳細に説明する。図１は、本発明にかかる建築用板材の実構造を示す断面図である。図１からよくわかるように、上記実構造は、雄実部１と雌実部２とからなり、雄実部１の雄実１１は雌実部２の雌実２１に嵌合して建築用板材、例えば合板の端部どうしが接合されて床板、壁板等を形成する。
【００１１】
本発明の実施形態においては、図１に示すように、雄実１１が突設される基端部上部垂直面１２には、釘打ち時に生じる木膨れを吸収するための木膨れ吸収用溝部１３が設けられている。また、図１からよくわかるように、上記木膨れ吸収用溝部１３は天井部を奥行きにいくに従って低くなるようように斜設し、断面略直角三角形とされている。すなわち、木膨れをできるだけ木膨れ吸収用溝部１３内に逃がし、更に、上記基端部上部垂直面１２の肉厚を残し、雄実部１の強度維持が図られている。
【００１２】
また、雄実１１が突設される基端部上部垂直面１２の付け根部には、釘を打ち込む時の目安とするとともに、釘の先端が逃げないでしっかりと釘打ちができるようにＶ字型の切り欠きを設け、釘打ち用溝部１４とされている。さらに、雌実２１の上部突起部２２の下部角部は面取りが施され、釘頭を収める釘頭収納部２３が形成されている。
【００１３】
図２は、釘打ち用溝部１４に釘３の先端をあてがって自動釘打ち機５を用いて釘３を打ち込む状態を示す説明図である。図３は、このようにして釘３を打ち込んで雄実部１を下地材４に固定し、雌実部２を実結合した状態を示す断面図である。釘３によって雄実部１が下地材４に固定され、木膨れが木膨れ吸収用溝部１３に吸収されるとともに、釘３の頭が上記釘頭収納部２３に収められ、しっかりと実結合していることが明らかである。なお、図３からよくわかるように、雌実２１は多少余裕を持って形成されているため、接着剤を併用して実結合する際は、この余裕空間は接着剤溜まりとされる。
【図面の簡単な説明】
【００１４】
【図１】本発明にかかる建築用板材の実構造を示す断面図である。
【図２】本発明にかかる釘打ち用溝部に釘を打ち込む状態を示す説明図である。
【図３】本発明の実構造を用いて実結合した状態を示す断面図である。
【図４】公知の実結合を示す断面図である。
【符号の説明】
【００１５】
１          雄実部
１１        雄実
１２        基端部上部垂直面
１３        木膨れ吸収用溝部
１４        釘打ち用溝部
２          雌実部
２１        雌実
２２        上部突起部
２３        釘頭収納部
３          釘
４          下地材
５          自動釘打ち機
６１        公知の雄実部
６１１      上記の雄実
６１２      上記の釘打ち部
６２        公知の雌実部
６２１      上記の雌実
【図１】
2006009372.tif 000003
【図２】
2006009372.tif 000004
【図３】
2006009372.tif 000005
【図４】
2006009372.tif 000006